(57)【要約】【課題】ユーザーが車両から離れるとき、車両の状態が所定の状態でない場合、ユーザーにのみ気づきやすく通知する車両状態提示システムを提供する。【解決手段】車両状態提示システムは、ユーザーの耳に装着される耳装着部を含む端末装置と車両とを含む。車両は、端末装置と無線通信する第１の通信部と、自車両が所定の状態以外の状態を検知したことを表す通知信号を第１の通信部から端末装置に送信させる第１の制御部とを備え、端末装置は、車両と無線通信する第２の通信部と、耳装着部に設けられユーザーに音または振動により通知を行う出力部と、第自端末装置が車両を含む所定範囲の外に移動したと判定した場合に、第２の通信部が受信した通知信号に基づいて、ユーザーへの通知を出力部に実行させる第２の制御部とを備える。【選択図】図３
2019059406.tif 000002
【特許請求の範囲】
【請求項１】
ユーザーの耳に装着される耳装着部を含む端末装置と、前記端末装置と無線通信を行う車両とを含む車両状態提示システムであって、
前記車両は、
無線通信により前記端末装置と通信する第１の通信部と、
自車両の状態を監視し、所定の状態以外の状態を検知したことを表す通知信号を前記第１の通信部から前記端末装置に送信させる第１の制御部とを備え、
前記端末装置は、
無線通信により前記車両と通信する第２の通信部と、
前記耳装着部に設けられ前記ユーザーに音または振動により通知を行う出力部と、
自端末装置が前記車両を含む所定範囲の外に移動した場合に、前記第２の通信部が受信した前記通知信号に基づいて、前記ユーザへの通知を前記出力部に実行させる第２の制御部とを備える、車両状態提示システム。
【請求項２】
前記端末装置の第２の制御部は、前記第２の通信部が受信する前記車両からの通信電波が受信できない場合、または、受信した前記通信電波の強度が所定値以下となった場合に、前記所定範囲の外に移動したと判定する判定部を含む、請求項１に記載の車両状態提示システム。
【請求項３】
前記端末装置の第２の制御部は、前記第２の通信部が受信した前記通知信号に基づいて、前記車両の状態が前記所定の状態でないと判定した場合、前記通知信号に応じたユーザへの通知を前記出力部に実行させる、請求項１または２に記載の車両状態提示システム。
【請求項４】
前記端末装置は、前記ユーザーから、前記車両に前記所定の状態とさせることを指示する第１の入力を受け付けることが可能な入力部をさらに備え、
前記通知信号に応じた通知の後、前記入力部が、前記端末装置を装着して前記車両と通信可能な範囲内に存在する前記ユーザーから、前記第１の入力を受け付けたとき、前記第２の制御部は、第１の指示信号を前記第２の通信部から前記車両に送信させ、
前記車両の前記第１の制御部は、前記第１の指示信号を前記第１の通信部が受信した場合、前記車両を前記所定の状態とする動作を実行する、請求項２または３に記載の車両状態提示システム。
【請求項５】
前記車両の前記第１の制御部は、前記通知信号の送信後、所定期間のあいだ前記所定の状態以外の状態が継続した場合、前記車両を前記所定の状態とする動作を実行する、請求項１〜４のいずれかに記載の車両状態提示システム。
【請求項６】
前記端末装置の前記入力部は、前記ユーザーから、前記車両に状態を維持させることを指示する第２の入力を受け付けることがさらに可能であり、
前記通知信号に応じた通知の後、前記入力部が、前記端末装置を装着して前記車両と通信可能な範囲内に存在する前記ユーザーから、前記第２の入力を受け付けたとき、前記第２の制御部は、第２の指示信号を前記第２の通信部から前記車両に送信させ、
前記車両の前記第１の制御部は、前記通知信号の送信後、所定期間のあいだに、
前記第２の指示信号を前記第１の通信部が受信せず、かつ、前記所定の状態以外の状態が継続した場合、前記車両を前記所定の状態とする動作を実行し、
前記第２の指示信号を前記第１の通信部が受信した場合、前記車両を前記所定の状態とする動作を実行しない、請求項４に記載の車両状態提示システム。
【請求項７】
ユーザーの耳に装着されるスピーカーを有し前記ユーザーに通知を行う出力部が設けられた耳装着部を含む端末装置と無線通信を行う車両であって、
無線通信により前記端末装置と通信する通信部と、
自車両の状態を監視し、所定の状態以外の状態を検知したことを表す通知信号を前記通信部から前記端末装置に送信させる制御部とを備える、車両。
【請求項８】
ユーザーの耳に装着される耳装着部を含み車両と無線通信を行う端末装置であって、
無線通信により前記車両と通信する通信部と、
前記耳装着部に設けられ前記ユーザーに音または振動により通知を行う出力部と、
自端末装置が前記車両を含む所定範囲の外に移動した場合に、前記通信部が前記車両から受信する前記車両の状態を表す通知信号に基づいて、ユーザへの通知を前記出力部に実行させる制御部とを備える、端末装置。
【請求項９】
ユーザーの耳に装着され前記ユーザーに音または振動により通知を行う出力部が設けられた耳装着部を含む端末装置のコンピューターと、前記端末装置と無線通信を行う車両のコンピュータとが実行する車両状態提示方法であって、
前記車両のコンピューターが、自車両の状態を監視し、所定の状態以外の状態を検知したことを表す通知信号を前記端末装置に送信する第１の制御ステップと、
前記端末装置のコンピューターが、自端末装置が前記車両を含む所定範囲の外に移動した場合に、前記車両から受信した前記通知信号に基づいて、ユーザーへの通知を前記出力部に実行させる第２の制御ステップとを含む、車両状態提示方法。
【発明の詳細な説明】
【技術分野】
【０００１】
本発明は、車両と通信して車両の状態を通知する車両状態提示システム、車両、端末装置、および、方法に関する。
【背景技術】
【０００２】
車両の所定の状態をユーザーに通知する技術が提案されている。例えば、ドアロックされていない状態でユーザーが車両から離れたり、所定期間経過したりした場合、車両に設けられたスピーカーから音を出力したり、ユーザーの携帯端末に通話発信、メール送信したりして、通知することが提案されている（特許文献１、２参照）。これにより、ユーザーは、ドアロックを忘れたことに気づくことができ、車両に戻ってロック操作を行う等の対応をすることができる。
【先行技術文献】
【特許文献】
【０００３】
【特許文献１】特開２００５−３４４３３５号公報
【特許文献２】特開２０１０−２０５０６３号公報
【発明の概要】
【発明が解決しようとする課題】
【０００４】
車両のドアがロックされていない状態や、ランプが点灯した状態のままユーザーが降車し、このような状態を放置すると、第三者に乗り込まれたり、バッテリーの充電量が低下したりするおそれがあり好ましくない。ユーザーが車両から離れる際には、例えば、エンジンが停止し、イグニッションスイッチがオフ状態で、ランプがすべて消灯され、窓がすべて閉められ、かつ、ドアがすべて閉められロックされているという状態となっていることが好ましい。このような状態になっていないことを、車両に設けられたスピーカーからの音で通知をしたり、ランプ、表示機等で視覚的に通知をしたりすると、第三者にも知覚され、セキュリティ面で改善の余地がある。また、通知を携帯端末に通話発信やメール送信することで行う場合、ユーザーが気付かないおそれがある。
【０００５】
本発明は、上記課題を鑑みてなされたものであり、ユーザーが車両から離れるとき、車両の状態が所定の状態となっていないことを、ユーザーにのみ気づきやすく通知できる車両状態提示システムを提供することを目的とする。
【課題を解決するための手段】
【０００６】
上記課題を解決するために、本発明の一局面は、ユーザーの耳に装着される耳装着部を含む端末装置と、端末装置と無線通信を行う車両とを含む車両状態提示システムである。車両は、無線通信により端末装置と通信する第１の通信部と、自車両の状態を監視し、所定の状態以外の状態を検知したことを表す通知信号を第１の通信部から端末装置に送信させる第１の制御部とを備える。端末装置は、無線通信により車両と通信する第２の通信部と、耳装着部に設けられユーザーに音または振動により通知を行う出力部と、自端末装置が車両を含む所定範囲の外に移動した場合に、第２の通信部が受信した通知信号に基づいて、ユーザーへの通知を出力部に実行させる第２の制御部とを備える。
【０００７】
これにより、車両の状態が所定の状態となっていないことを、耳に装着した出力部から、音等によってユーザーにのみ通知することができる。
【０００８】
また、端末装置の第２の制御部は、第２の通信部が受信する車両からの通信電波が受信できない場合、または、受信した通信電波の強度が所定値以下となった場合に、所定範囲の外に移動したと判定する判定部を含んでもよい。
【０００９】
これにより、端末装置を身に着けたユーザーが車両から離れたことを通信電波に基づいて、他の手段を設けることなく検出できる。
【００１０】
また、端末装置の第２の制御部は、第２の通信部が受信した通知信号に基づいて、車両の状態が所定の状態でないと判定した場合、通知信号に応じたユーザへの通知を出力部に実行させてもよい。
【００１１】
これにより、車両の状態が所定の状態となっていない場合にこのことをユーザーに通知することができる。
【００１２】
また、端末装置は、ユーザーから、車両に所定の状態とさせることを指示する第１の入力を受け付けることが可能な入力部をさらに備え、通知信号に応じた通知の後、入力部が、端末装置を装着して車両と通信可能な範囲内に存在するユーザーから、第１の入力を受け付けたとき、第２の制御部は、第１の指示信号を第２の通信部から車両に送信させ、車両の第１の制御部は、第１の指示信号を第１の通信部が受信した場合、車両を所定の状態とする動作を実行してもよい。
【００１３】
これにより、ユーザーが車両に戻らなくても、遠隔操作で車両を所定の状態にできるため利便性を向上できる。
【００１４】
また、車両の第１の制御部は、通知信号の送信後、所定期間のあいだ所定の状態以外の状態が継続した場合、車両を所定の状態とする動作を実行してもよい。
【００１５】
これにより、ユーザーがなんらの行動をしなくても、車両を所定の状態にできるため利便性を向上できる。
【００１６】
また、端末装置の入力部は、ユーザーから、車両に現在の状態を維持させることを指示する第２の入力を受け付けることがさらに可能であり、通知信号に応じた通知の後、入力部が、端末装置を装着して車両と通信可能な範囲内に存在する前記ユーザーから、第２の入力を受け付けたとき、第２の制御部は、第２の指示信号を第２の通信部から車両に送信させ、車両の前記第１の制御部は、通知信号の送信後、所定期間のあいだに、第２の指示信号を第１の通信部が受信せず、かつ、所定の状態以外の状態が継続した場合、車両を所定の状態とする動作を実行し、第２の指示信号を第１の通信部が受信した場合、車両を所定の状態とする動作を実行しないようにしてもよい。
【００１７】
これにより、ユーザーが所定の状態以外の状態にしたまま車両から離れることを意図した場合、意図に応じた操作により、その状態が維持されるため、利便性を向上できる。
【００１８】
本発明の他の局面は、ユーザーの耳に装着されるスピーカーを有しユーザーに通知を行う出力部が設けられた耳装着部を含む端末装置と無線通信を行う車両である。車両は、無線通信により端末装置と通信する通信部と、自車両の状態を監視し、所定の状態以外の状態を検知したことを表す通知信号を通信部から端末装置に送信させる制御部とを備える。
【００１９】
これにより、通知信号を受信した端末装置に、車両の状態が所定の状態となっていないことを、耳に装着した出力部から、音等によってユーザーにのみ通知させることができる。
【００２０】
本発明の他の局面は、ユーザーの耳に装着される耳装着部を含み車両と無線通信を行う端末装置である。端末装置は、無線通信により車両と通信する通信部と、耳装着部に設けられユーザーに音または振動により通知を行う出力部と、自端末装置が車両を含む所定範囲の外に移動したと判定した場合に、通信部が車両から受信する車両の状態を表す通知信号に基づいて、ユーザーへの通知を出力部に実行させる制御部とを備える。
【００２１】
これにより、車両の状態が所定の状態となっていないことを、耳に装着した出力部から、音等によってユーザーにのみ通知することができる。
【００２２】
本発明の他の局面は、ユーザーの耳に装着されユーザーに音または振動により通知を行う出力部が設けられた耳装着部を含む端末装置のコンピューターと、端末装置と無線通信を行う車両のコンピュータとが実行する車両状態提示方法である。車両状態提示方法は、車両のコンピューターが、自車両の状態を監視し、所定の状態以外の状態を検知したことを表す通知信号を端末装置に送信する第１の制御ステップと、端末装置のコンピューターが、自端末装置が車両を含む所定範囲の外に移動したと判定した場合に、車両から受信した通知信号に基づいて、ユーザーへの通知を出力部に実行させる第２の制御ステップとを含む。
【００２３】
これにより、車両の状態が所定の状態となっていないことを、耳に装着した出力部から、音等によってユーザーにのみ通知することができる。
【発明の効果】
【００２４】
本発明によれば、車両の状態が所定の状態となっていない場合、ユーザーが車両から離れるとき、耳に装着した出力部から、音等によってユーザーに通知するため、第三者に気づかれにくく、ユーザーに気づきやすい通知が可能な車両状態提示システムを提供することができる。
【図面の簡単な説明】
【００２５】
【図１】本発明の第１〜第４の実施形態に係る車両状態提示システムの機能ブロック図
【図２】本発明の第１〜第４の実施形態に係る通信可能範囲の例を示す図
【図３】本発明の第１の実施形態に係る処理を示すシーケンス図
【図４】本発明の第２の実施形態に係る処理を示すシーケンス図
【図５】本発明の第３の実施形態に係る処理を示すシーケンス図
【図６】本発明の第４の実施形態に係る処理を示すシーケンス図
【発明を実施するための形態】
【００２６】
（概要）
本発明に係る車両状態提示システムは、車両が所定の状態となっていないことを、車両から離れるユーザーに対して、ユーザーの耳に装着された出力部から音等で通知する。そのため、ユーザーに気づきやすく、第三者に気づきにくく通知することができる。
【００２７】
（第１の実施形態）
以下、本発明の第１の実施形態について、図面を参照しながら詳細に説明する。
【００２８】
＜構成＞
図１に、本実施形態に係る車両状態提示システム１１の機能ブロック図を示す。車両状態提示システム１１は端末装置１１０と、車両２１０とを含む。
【００２９】
車両２１０は、第１の制御部２１１、第１の通信部２１２を含む。第１の制御部２１１は、第１の通信部２１２を制御して、端末装置１１０と無線通信を行う。車両２１０と端末装置１１０との距離が互いに無線通信可能な距離内である場合、第１の制御部２１１は、端末装置１００と認証のための通信シーケンスを実行する。例えば、第１の制御部２１１は第１の通信部２１２に定期的に信号を送信させ、無線通信可能な距離内に入ってきた端末装置１１０がこの信号に応答して送信してきた自端末装置１１０の識別子を、予め自車両に対応付けられた正規の端末装置の識別子と比較することで、端末装置１１０を認証する。また、認証後も、第１の制御部２１１は、端末装置１１０が通信可能な距離内にあるあいだは、端末装置１１０と定期的に通信を行い端末装置１１０が当該距離内に存在することを検出する。また、第１の制御部２１１は、車両２１０の図示しない各種装置の状態を監視し、第１の通信部２１２から、端末装置１１０に車両の状態を通知することができる。
【００３０】
端末装置１１０は、ユーザーの耳に装着される耳装着部を含む小型の装置である。端末装置１１０は、一例として第２の制御部１１１、第２の通信部１１２、出力部１１３、入力部１１４を含む。出力部１１３は、ユーザーの耳穴に放音可能なスピーカーを含む。入力部１１４は、ユーザーの耳穴内の反響音を収音する認証用マイクロホンと、ユーザーの発話音を収音する発話用マイクロホンとを含む。第２の制御部１１１は、一例として、認証用の音を出力部１１３からユーザーの耳道に放音させ、その反響音を入力部１１４の認証用マイクロホンに取得させ、反響音の特性を予め登録された正規のユーザーの反響音の特性と比較することで、ユーザーを認証する。また、第２の制御部１１１は、第２の通信部１１２を制御して、車両２１０と上述の無線通信を実行する。また、第２の制御部１１１は、通信結果に基づいて車両２１０の状態を取得することができる。また、第２の制御部１１１は、ユーザーに対する通知内容を音声として生成して出力部１１３に出力させることができる。また、第２の制御部１１１は、車両２１０から第２の通信部１１２が受信する通信電波の状態を監視する判定部を含んでもよい。
【００３１】
以上のように、端末装置１１０がユーザーを認証するようにし、車両２１０が端末装置１１０を認証するようにすれば、車両とその正規ユーザーとの組み合わせを保証することができ好ましい。上述の認証の方法は一例であって、変形しても構わない。例えば端末装置１１０の第２の制御部１１１が、車両２１０の識別子を通信により取得し、これに基づいて、車両を認証してもよい。図２に、車両２１０と端末装置１１０とが互いに無線通信可能な範囲５００の例を示す。範囲５００は例えば車両から１０ｍ程度以下の範囲である。
【００３２】
＜処理＞
図３は、端末装置１１０、車両２１０の処理を説明するシーケンス図である。図３を参照して、本処理を説明する。
【００３３】
ステップＳ１０１：車両２１０の第１の制御部２０１は、例えば車両に搭載されている各種制御ユニットからの情報等に基づいて各種装置の状態を監視する。本ステップでは、第１の制御部２０１は、車両が所定の状態でないことを検出する。所定の状態とは、車両からユーザーが離れて、車両を放置しても、セキュリティ面や消費電力面で問題が発生するおそれが他の状態より低減されている状態をいう。一例として、所定の状態は、エンジンが停止し、イグニッションスイッチがオフ状態で、ランプがすべて消灯され、窓がすべて閉められ、かつ、ドアがすべて閉められロックされているという状態として定義できる。
【００３４】
ステップＳ１０２：車両２１０の第１の制御部２０１は、車両２１０の状態が所定の状態以外の状態であることを検出すると、このことを表す信号である通知信号を第１の通信部２１２に送信させる。端末装置１１０の第２の通信部１１２は、通知信号を受信する。通知信号には、例えば窓が開いたままである等の車両２１０の状態を表す情報が含まれる。このような通知信号の送信は、上述の定期的な通信の一部として行ってもよいし、定期的な通信とは別途行ってもよい。また、所定の状態でない状態が継続している間は通知信号を定期的に送信し、所定の状態になると送信をやめるようにしてもよいし、あるいは、所定の状態でない状態を検出したとき１回だけ通知信号を送信し、所定の状態になると、そのことを表す信号を送信してもよい。あるいは、車両２１０の状態が所定の状態であるか否かにかかわらず、現在の状態を表す情報を送信してもよい。このようにすることで、端末装置１１０は、車両２１０と通信可能な距離内に存在する限り、車両２１０の状態を表す情報を取得することができる。
【００３５】
ステップＳ１０３：車両２１０の第１の制御部２０１は、上述の定期的な通信の一部として第１の通信部２１２に無線信号を送信させる。
【００３６】
ステップＳ１０４：端末装置１１０の第２の制御部１１１は、一例として車両２１０からの通信電波の状態を監視する判定部を含む。判定部は、電波の状態が所定の状態となったことを検出すると、第２の制御部１１１は、端末装置１１０が、車両２１０を含む所定範囲の外に移動したと判定する。所定の状態として、例えば通信電波の電波強度が所定値以下となることを検出してもよい。あるいは、一定期間待機しても通信電波を受信できないことを検出してもよい。このような判定部を設けることにより、端末装置１１０を身に着けたユーザーが車両２１０から離れたことを通信電波を用いて他の手段を用いることなく検出できる。しかし、他の手段を用いて検出してもよい。
【００３７】
ステップＳ１０５：端末装置１１０の第２の制御部１１１は、受信した通知信号に基づいて、ユーザーに対する通知を出力部１１３に実行させる。例えば、第２の制御部１１１が、通知信号に基づいて、車両２１０が所定の状態以外の状態であると判定している場合、このことを表す通知を出力部１１３に行わせる。通知は、例えば具体的な状態を表す「窓が開いています」という音声をユーザーの耳に放音することで行うことができる。あるいは、通知は、第三者に気づかれにくければ制限されず、例えば出力部１１３がバイブレーターを備え振動で行ってもよい。通知を受けたユーザーは、車両２１０に戻って窓を閉める等の動作を行って、車両２１０を所定の状態にすることができる。以上により本シーケンスは終了となる。
【００３８】
なお、端末装置１１０は、例えば、各部のすべてがユーザーの耳に装着される耳装着部に含まれる構成でもよいし、少なくとも出力部１１３が耳装着部に含まれ、他の各部がスマートフォンのような携帯型端末装置に含まれ、耳装着部と携帯型端末装置が、無線または有線で通信する構成でもよい。また、上述の反響音によるユーザー認証を行うことが好ましいが、必須ではない。また、端末装置１１０が、車両２１０を含む所定範囲の外に移動したと判定したときには、ユーザーに単に所定の状態ではないことを表す通知を行うこととし、その後端末装置１１０が、電波強度等に基づいて、所定範囲内に戻ったと判定した場合にユーザーに「窓が開いている」といった具体的な状態を通知するようにしてもよい。また、上述の通知信号は、単に所定の状態でないことを表す信号とし、具体的な状態を表す信号は、端末装置１１０が所定範囲内に戻ったと判定した場合に車両２１０と通信して別途取得するものとしてもよい。また、車両２１０のどのような状態を所定の状態とするか、ユーザーによってカスタマイズ可能にしてもよい。
【００３９】
＜効果＞
本実施形態では、車両の状態が所定の状態となっていないことを、耳に装着した出力部から、音等によってユーザーにのみ通知することができる。これにより、通知を、第三者には分かりにくくしてセキュリティ面の向上を図りつつ、ユーザーに気づきやすくすることができる。また、端末装置を身に着けたユーザーが車両を含む所定の範囲から離れた場合のみ通知を行うため、ユーザーが意図的に所定の状態以外の状態で一時的に降車して、すぐにまた乗車するつもりの場合等、所定距離以上離れない場合には、通知が行われず、煩わしさを低減することができる。
【００４０】
（第２の実施形態）
以下、本発明の第２の実施形態について、図面を参照しながら詳細に説明する。
【００４１】
＜構成＞
本実施形態に係る車両状態提示システムは、第１の実施形態に係る車両状態提示システム１１と同様の機能ブロックを有するため、同一または対応する構成要素には同一の参照符号を付し、同一の内容については説明を省略する。
【００４２】
＜処理＞
本実施形態では、第１の実施形態におけるステップＳ１０５の後、ユーザーからの指示を受け付け、車両２１０に所定の状態とする動作を実行させることができる。
【００４３】
図４は、端末装置１１０、車両２１０の処理を説明するシーケンス図である。ステップＳ１０１〜Ｓ１０５の処理については第１の実施形態と同様であるため説明を省略し、図４には、ステップＳ１０５の後の処理を記載する。
【００４４】
ステップＳ２０１：ステップＳ１０５の後、端末装置１１０の入力部１１４は、ユーザーからの所定の入力である第１の入力を受け付ける。第１の入力は例えば入力部１１４の発話用マイクロホンに、「窓を閉めて」といった所定の言葉を発話することで行うことができる。入力方法はこれに限定されず、例えば、入力部１１４がモーションセンサを備えている場合、ユーザーが首を１回横に振るうなずき動作によって行うことができる。
【００４５】
ステップＳ２０２：端末装置１１０の第２の制御部１１１は、入力部１１４が受け付けた内容を解析して第１の入力であると判定すると、これに応じた第１の指示信号を第２の送信部１１２に送信させる。なお、ステップＳ１０４において、通信電波の電波強度が０より大きい所定値以下となったときに、端末装置１１０が所定範囲から外に移動したと判定する方法を採用した場合、ステップＳ１０５において通知を受けた時点における場所から、端末装置１１０と車両２１０との間の通信が可能であるので、ユーザーがその場所から移動しなくても、ステップＳ２０１、Ｓ２０２の処理が可能である。しかし、ステップＳ１０４において、一定期間待機しても通信電波を受信できないときに、端末装置１１０が所定距離範囲から外に移動したと判定する方法を採用した場合、ステップＳ１０５において通知を受けた時点における場所では、端末装置１１０と車両２１０との間の通信が不可能であるので、ユーザーはその場所から車両に近づく方向に移動する必要がある。この移動により、端末装置１１０と車両２１０とが通信可能となり、上述の端末装置１１０と車両２１０間の認証が再度実行される。ステップＳ２０１の入力に際して、ユーザーが車両に近づく方向に移動することで、Ｓ２０２の処理が好適に実行できる。そのため、ユーザーに予め、またはステップＳ１０５の通知時等に、第１の入力を行うときには、車両に近づく必要がある旨、通知することが好ましい。
【００４６】
ステップＳ２０３：車両２１０の第１の通信部２１２が第１の指示信号を受信する。車両２１０の第１の制御部２１１は、第１の指示信号に応じて、車両２１０の状態が所定の状態となるよう、例えば窓を閉める等、各部の動作を実行する。以上により、本シーケンスは終了となる。
【００４７】
＜効果＞
本実施形態では、ユーザーは、車両が所定の状態にないことの通知を受けたとき、端末装置に所定の第１の入力を行うことにより、車両に対して所定の状態とする動作を実行する指示を遠隔的に行うことができる。このため、所定の状態に戻すのに車両に戻る必要がなく、利便性を向上できる。
【００４８】
（第３の実施形態）
以下、本発明の第３の実施形態について、図面を参照しながら詳細に説明する。
【００４９】
＜構成＞
本実施形態に係る車両状態提示システムは、第１の実施形態に係る車両状態提示システム１１と同様の機能ブロックを有するため、同一または対応する構成要素には同一の参照符号を付し、同一の内容については説明を省略する。
【００５０】
＜処理＞
本実施形態では、第１の実施形態におけるステップＳ１０５の後、所定期間、所定の状態でない状態が継続した場合、車両２１０に所定の状態とする動作を実行させることができる。
【００５１】
図５は、車両２１０の処理を説明するシーケンス図である。ステップＳ１０１〜Ｓ１０５の処理については第１の実施形態と同様であるため説明を省略し、図５には、ステップＳ１０２およびその後、図３に示したシーケンスと並列的に車両２１０が実行する処理を記載する。
【００５２】
ステップＳ３０１：ステップＳ１０２の後、車両２１０の第１の制御部２１１は、タイマーをリセットし、その後タイマーのカウントを開始する。
【００５３】
ステップＳ３０２：車両２１０の第１の制御部２１１は、カウント値が所定値となることで所定期間経過したことを検知する。本ステップでは、第１の制御部２１１は、所定期間中、車両の状態の変化を検出せず、所定の状態でない状態が継続したものとする。
【００５４】
ステップＳ３０３：車両２１０の第１の制御部２１１は、車両２１０の状態が所定の状態となるよう、例えば窓を閉める等、各部の動作を実行する。以上により、本シーケンスは終了となる。なお、ステップＳ３０２で、所定期間中に車両の状態が変化して所定の状態になった場合、ユーザーが車両を操作して所定の状態にしたものとして、本ステップＳ３０３は実行しない。また、ステップＳ３０２で、所定期間中に車両の状態が変化して所定の状態以外の他の状態に変化した場合、ユーザーが車両を操作し意図的にその状態にしたものとして、本ステップＳ３０３は実行しないようにしてもよいし、実行することでより好適な所定の状態としてもよい。
【００５５】
なお、本実施形態に第２の実施形態を取り込んでもよい。すなわち、車両２１０は、所定期間中にユーザーからの指示入力を受け付けた場合、ただちに所定の状態とする動作を実行し、所定期間中に指示入力を受け付けなかった場合、所定期間経過後に所定の状態とする動作を実行してもよい。また、ステップＳ１０２の後、ステップＳ３０１のカウント処理を開始するのではなく、ステップＳ１０５で端末装置１１０がユーザーに通知を行ったこと表す信号を車両２１０が受信するようにして、この信号を受信した時にカウントを開始するようにしてもよい。あるいは、ステップＳ１０３の定期的な通信において、電波強度の低下や通信電波が受信できないことを車両２１０が検出したときにカウントを開始するようにしてもよい。いずれにしても、ステップＳ１０５による通知の後に所定期間が終了するようにカウント値を設定すればよい。
【００５６】
＜効果＞
本実施形態では、ユーザーが、車両が所定の状態にないことの通知を受けたのち、車両を操作することなく所定期間放置した場合、車両を自動的に所定の状態とする動作を実行することができる。このため、ユーザーは所定の状態とするのになんらの行動も必要ないため、利便性を向上できる。
【００５７】
（第４の実施形態）
以下、本発明の第４の実施形態について、図面を参照しながら詳細に説明する。
【００５８】
＜構成＞
本実施形態に係る車両状態提示システムは、第１の実施形態に係る車両状態提示システム１１と同様の機能ブロックを有するため、同一または対応する構成要素には同一の参照符号を付し、同一の内容については説明を省略する。
【００５９】
＜処理＞
本実施形態では、第３の実施形態におけるステップＳ３０１の後、所定期間内にユーザーからの指示を受け付け、所定の状態でない状態のままにすることができる。
【００６０】
図６は、端末装置１１０、車両２１０の処理を説明するシーケンス図である。ステップＳ１０１〜Ｓ１０５の処理については第１の実施形態と同様であるため説明および図６の記載を省略する。
【００６１】
ステップＳ４０１：第３の実施形態のステップＳ３０１と同様、ステップＳ１０２の後、車両２１０の第１の制御部２１１は、タイマーのカウントを開始する。
【００６２】
ステップＳ４０２：本ステップでは、所定期間経過前に端末装置１１０の入力部１１４は、ユーザーからの所定の入力である第２の入力を受け付けるものとする。第２の入力は例えば入力部１１４の発話用マイクロホンに、「そのままにして」といった所定の言葉を発話することで行うことができる。入力方法はこれに限定されず、例えば、入力部１１４がモーションセンサを備えている場合、ユーザーが首を横に振る動作によって行うことができる。なお、第２の実施形態と同様、ステップＳ１０４において、一定期間待機しても通信電波を受信できないときに、端末装置１１０が所定距離範囲から外に移動したと判定する方法を採用した場合、ユーザーは第２の入力を行う前に車両に近づく方向に移動する。
【００６３】
ステップＳ４０３：端末装置１１０の第２の制御部１１１は、入力部１１４が受け付けた内容を解析して第２の入力であると判定すると、これに応じた第２の指示信号を第２の送信部１１２に送信させる。
【００６４】
ステップＳ４０４：車両２１０の第１の通信部２１２が第２の指示信号を受信する。車両２１０の第１の制御部２１１は、第２の指示信号に応じて、タイマーのカウントを停止する。このように第２の指示信号を受信した場合、第１の制御部２１１は、車両２１０を所定の状態にする動作を実行せずに、本シーケンスは終了となる。
【００６５】
ステップＳ４０５：本ステップでは、所定期間中、第１の通信部２１２が第２の指示信号を受信せず、かつ、第１の制御部２１１は、車両の状態の変化を検出せず、所定の状態でない状態が継続したものとする。この場合、第３の実施形態におけるステップＳ３０２と同様、車両２１０の第１の制御部２１１は、カウント値が所定値となることで所定期間経過したことを検知する。
【００６６】
ステップＳ４０６：車両２１０の第１の制御部２１１は、第３の実施形態におけるステップＳ３０３と同様、車両２１０の状態が所定の状態となるよう、例えば窓を閉める等、各部の動作を実行する。以上により、本シーケンスは終了となる。
【００６７】
なお、本実施形態に第２の実施形態を取り込んでもよい。すなわち、車両２１０の第１の制御部２１１は、所定期間中にユーザーからの指示入力を受け付けた場合、ただちに所定の状態とする動作を実行してもよい。また、ステップＳ４０４においてシーケンスを終了せず、ステップＳ４０５、Ｓ４０６と同様の処理を行って、上述の所定時間より長い一定の時間の経過後に、車両２１０の第１の制御部２１１は、所定の状態とする動作を実行してもよい。
【００６８】
＜効果＞
本実施形態では、ユーザーが、車両が所定の状態にないことの通知を受けたのち、車両を操作することなく所定期間放置した場合、車両が自動的に所定の状態となるが、ユーザーが所定期間内に所定の第２の入力を行った場合、車両が自動的に所定の状態となるのを抑制できる。このため、ユーザーは所定の状態以外の状態にしたまま車両から離れることを意図した場合、意図に応じてその状態が維持されるため、利便性を向上できる。
【００６９】
以上の各実施形態のように、本発明によれば、車両の状態が所定の状態となっていないことを、車両から離れるユーザーにのみ気づきやすく通知できる車両状態提示システムを提供することができる。これにより、例えば、セキュリティ面や消費電力面で好適でない状態で車両を離れつつある場合、第三者に知られることなく、ユーザーに通知でき、適切な対応を促すことができる。
【００７０】
本発明は、車両状態提示システムとして捉えるだけでなく、これを構成する端末装置、車両、および、これらが含むコンピューターのプロセッサが実行する方法、そのプログラムとして捉えることができる。
【産業上の利用可能性】
【００７１】
本発明は、車両等の状態をユーザーに通知するシステムに有用である。
【符号の説明】
【００７２】
１１    車両状態提示システム
１１０    端末装置
１１１    第２の制御部
１１２    第２の通信部
１１３    出力部
１１４    入力部
２１０    車両
２１１    第１の制御部
２１２    第１の通信部
【図１】
2019059406.tif 000003
【図２】
2019059406.tif 000004
【図３】
2019059406.tif 000005
【図４】
2019059406.tif 000006
【図５】
2019059406.tif 000007
【図６】
2019059406.tif 000008